(57)【要約】【課題】  オゾン殺菌機能を具えた浄水機の提供。【解決手段】  濾過器、オゾン注入器及び逆止弁、二つの光電管、空気乾燥剤瓶及び負圧スイッチを具え、各装置が相互に管路で接続され、水が濾過器で濾過された後に注入器に導入されて負圧を発生し、これにより外部空気が乾燥剤瓶、光電管を流れてオゾンを発生し、オゾンが該注入器に吸入されて水と完全に混合された後にオゾン水を形成し、洗浄、衛生冷水或いは飲用等の用途に供される。【選択図】        図１
0003106706.tif 000002
【実用新案登録請求の範囲】
【請求項１】
濾過器、オゾン注入器及び逆止弁、二つの光電管、空気乾燥剤瓶及び負圧スイッチを具え、
該濾過器はマイクロフィルタコア及び活性炭フィルタコアを収容し、上端に入水口と出水口が設けられ、該入水口に入水管が接続され、
該オゾン注入器は、両端に入水口と出水口が設けられ、該オゾン注入器の入水口が濾過器に接続され、該オゾン注入器の出水口に出水管が接続され、中央にベンチュリー管が設けられ、
該二つの光電管は、管路で直列に接続され、一方の光電管はオゾン注入器のベンチュリー管に接続され、もう一方の光電管は三方管に接続され、
該空気乾燥剤瓶はシリカゲルを収容し、瓶口に不織布網、Ｏリング及び接続ノズルが設けられ、三方管の一端に接続され、
該負圧スイッチは、三方管の別端に接続され、
以上が組み合わされて浄水機が構成され、水が濾過器に進入して濾過された後に負圧を発生し、これにより空気が空気乾燥剤瓶に吸入され、負圧スイッチが負圧力を検出して高電圧変圧器を駆動して高電圧を発生して光電管にオゾンを生成させ、オゾンがベンチュリー管よりオゾン注入器に吸入されて水と完全に気体、液体の混合を形成してオゾン水を形成し、洗浄、飲用に供することを特徴とする、オゾン殺菌機能を具えた浄水機。
【請求項２】
請求項１記載のオゾン殺菌機能を具えた浄水機において、各部品間の相互間の接続は管路を介してなされることを特徴とする、オゾン殺菌機能を具えた浄水機。
【考案の詳細な説明】
【技術分野】
【０００１】
本考案は一種のオゾン殺菌機能を具えた浄水機に係り、特に濾過とオゾンによる水の殺菌の機能を兼ね備えた浄水機の構造に関する。
【背景技術】
【０００２】
一般に、飲用水、洗浄用の浄水機構造は、機体内に各種の濾過装置、例えば活性炭、フィルタ等が設けられ、進入した水を濾過した後に飲用、洗浄等の用途に供する。しかしどのような方式で濾過効果を構成しても、その殺菌能力は限られており、特に微小な細菌、ウイルスは完全には殺菌、除去できず、安心して飲用できる水質とすることができない。
【考案の開示】
【考案が解決しようとする課題】
【０００３】
本考案の主要な目的は、一種のオゾン殺菌機能を具えた浄水機を提供することにある。それは、殺菌力を具えたオゾン水を形成して飲用水、冷水の品質を高めることができる浄水機であるものとする。
【課題を解決するための手段】
【０００４】
請求項１の考案は、濾過器、オゾン注入器及び逆止弁、二つの光電管、空気乾燥剤瓶及び負圧スイッチを具え、
該濾過器はマイクロフィルタコア及び活性炭フィルタコアを収容し、上端に入水口と出水口が設けられ、該入水口に入水管が接続され、
該オゾン注入器は、両端に入水口と出水口が設けられ、該オゾン注入器の入水口が濾過器に接続され、該オゾン注入器の出水口に出水管が接続され、中央にベンチュリー管が設けられ、
該二つの光電管は、管路で直列に接続され、一方の光電管はオゾン注入器のベンチュリー管に接続され、もう一方の光電管は三方管に接続され、
該空気乾燥剤瓶はシリカゲルを収容し、瓶口に不織布網、Ｏリング及び接続ノズルが設けられ、三方管の一端に接続され、
該負圧スイッチは、三方管の別端に接続され、
以上が組み合わされて浄水機が構成され、水が濾過器に進入して濾過された後に負圧を発生し、これにより空気が空気乾燥剤瓶に吸入され、負圧スイッチが負圧力を検出して高電圧変圧器を駆動して高電圧を発生して光電管にオゾンを生成させ、オゾンがベンチュリー管よりオゾン注入器に吸入されて水と完全に気体、液体の混合を形成してオゾン水を形成し、洗浄、飲用に供することを特徴とする、オゾン殺菌機能を具えた浄水機としている。
請求項２の考案は、請求項１記載のオゾン殺菌機能を具えた浄水機において、各部品間の相互間の接続は管路を介してなされることを特徴とする、オゾン殺菌機能を具えた浄水機としている。
【考案の効果】
【０００５】
本考案はオゾン注入器、光電管に空気乾燥剤を組合せ、浄水機能に完全殺菌されたオゾン水生成機能を与え、浄水機の水質を高める。ゆえに本考案は実用的な設計とされ、新規性、進歩性を具えている。
【考案を実施するための最良の形態】
【０００６】
本考案の浄水機は、濾過器、オゾン注入器及び逆止弁、二つの光電管、空気乾燥剤瓶及び負圧スイッチを具え、各装置が相互に管路で接続され、水が濾過器で濾過された後に注入器を通過して負圧を発生し、これにより外部空気が乾燥剤、光電管を流れてオゾンを発生し、オゾンが該注入器に吸入されて水と完全に混合された後にオゾン水を形成する。
【０００７】
前述の濾過器はフィルタコアと活性炭フィルタコアを具え、並びに上端にコネクタが設けられ、入水管及び注入器に接続される。
【０００８】
前述のオゾン注入器は、両端に入水口と出水口を具え、中央にベンチュリー管が設けられてオゾンを吸入して気体と液体を混合する。
【０００９】
前述の逆止弁は注入器と光電管の間に接続され、水が乾燥剤瓶に逆流するのを防止する。
【００１０】
前述の乾燥剤瓶には不織布網、シリカゲルが設けられ、外部の空気を浄化してオゾン含有量を増し、且つ使用後の乾燥剤にマイクロウエーブでもとの機能を回復させて重複使用可能とし、不織布網はシリカゲル粉を載置して光電管への進入を防止する。
【実施例１】
【００１１】
図１、２、３、４、５に示されるように、本考案は機台内に設けられ、該機台内に濾過器１、オゾン注入器２及び逆止弁３、二つの光電管４、５、空気乾燥剤瓶６及び負圧スイッチ７が設けられている。
【００１２】
該濾過器１はマイクロフィルタコア及び活性炭フィルタコアを具え、その上端に入水口１１と出水口１２が設けられ、該入水口１１に入水管１３が接続され、出水口１２はオゾン注入器２に接続されている。
【００１３】
該オゾン注入器２は、両端に入水口２１と出水口２２が設けられ、中央にベンチュリー管２３が設けられ、該ベンチュリー管２３が逆止弁３を介して光電管４に接続され、その回転式の出水口２２は出水管２４に接続されている。
【００１４】
該二つの光電管４、５は管路５１で直列に接続され、そのうち光電管５は三方管８で空気乾燥剤瓶６及び負圧スイッチ７に接続されている。
【００１５】
該空気乾燥剤瓶６にシリカゲル６１が収容され、並びに瓶口に不織布網６２及びＯリング６３及び接続ノズル６４が設けられ、三方管８に接続され、底部に小孔６５が設けられている。
【００１６】
以上が組み合わされて、入水管１３に水が導入された後、水は濾過器１に入水口１１より進入して濾過され、出水口１２を通りオゾン注入器２に送られて負圧を発生し、空気が空気乾燥剤瓶６の小孔６５より吸入され、負圧スイッチ７が負圧力を検出して高圧変圧器９を駆動して高電圧を発生させて光電管４、５にオゾンを形成させ、形成されたオゾンはベンチュリー管２３より水流によりオゾン注入器２内に吸入され、水と完全に気体と液体の混合を発生してオゾン水を形成する。発生したオゾン水は出水口２２より送出されて飲用、洗浄に用いられる。
【００１７】
前述のプロセス中、逆止弁３は水流の光電管４、５及び空気乾燥剤瓶６への逆流を防止し、該空気乾燥剤瓶６に設けられたシリカゲル６１は空気を浄化してオゾン含有量を増し、不織布網６２はシリカゲル６１の粉塵を載置して光電管４、５への進入を防止する。
【００１８】
図６に示されるように、本考案の組立後のオゾン水生成のフローは以下のとおりである。
１．水を濾過器１に導入後、オゾン注入器２に送出し、負圧を発生する。
２．空気を空気乾燥剤瓶６の小孔６５より吸入し空気を乾燥及び濾過し、負圧スイッチ７に負圧力を検出させて変圧器９を駆動させて高電圧を発生し、光電管４、５にオゾンを生成させる。
３．光電管４、５の生成したオゾンをオゾン注入器２のベンチュリー管２３より吸入して通過する浄水と完全に混合し、オゾン水を生成する。
【図面の簡単な説明】
【００１９】
【図１】本考案の立体図である。
【図２】本考案の管路接続図である。
【図３】本考案の濾過器の立体図である。
【図４】本考案のオゾン注入器の立体図である。
【図５】本考案の逆止弁の立体図である。
【図６】本考案の光電管の立体図である。
【図７】本考案の乾燥剤瓶の立体分解図である。
【図８】本考案の動作実施例図である。
【符号の説明】
【００２０】
１  濾過器              １１  入水口          １２  出水口    １３  入水管
２  オゾン注入器        ２１  入水口          ２２  出水口
２３  ベンチュリー管    ２４  出水管          ３  逆止弁
４  光電管              ５  光電管            ５１  管路
６  空気乾燥剤瓶        ６１  シリカゲル      ６２  不織布網
６３  Ｏリング          ６４  接続ノズル      ６５  小孔
７  負圧スイッチ        ８  三方管            ９  変圧器
【図１】
0003106706.tif 000003
【図２】
0003106706.tif 000004
【図３】
0003106706.tif 000005
【図４】
0003106706.tif 000006
【図５】
0003106706.tif 000007
【図６】
0003106706.tif 000008
【図７】
0003106706.tif 000009
【図８】
0003106706.tif 000010